(57)【特許請求の範囲】
【請求項１】
トレー板に、光ファイバ心線を収容するケーブルを保持するケーブルクランプと、前記ケーブルのテンションメンバを保持するテンションメンバクランプと、前記ケーブルにつながる光ファイバ心線の余長部をループ状に保持する余長ループ保持部と、前記光ファイバ心線とこれに接続される光ファイバ心線の相互の先端のコネクタフェルール部を調心しながら接続するフェルール調心ガイドと、前記光ファイバ心線が出入りする開口部とが設けられ、
前記開口部は前記ケーブルを導入する方向に沿った前記トレー板のほぼ中央に対応して設けられ、
前記ケーブルクランプと前記テンションメンバクランプとは、前記開口部を挟んだ両側で前記トレー板に支持されていて、それぞれの取付け位置を交換できるように着脱自在になっており、
前記余長ループ保持部は、前記ケーブルクランプと前記テンションメンバクランプと前記フェルール調心ガイドとが設けられている前記トレー板の面とは反対側の面に設けられていることを特徴とする光ファイバ余長収納トレー。
【請求項２】
光ファイバ心線を収容したケーブルを導入して、該ケーブルに収容された光ファイバ心線に他の光ファイバ心線を接続するために用いるケーブル接続ユニットにおいて、
光ファイバ心線が出入りする開口部が設けられたトレー板を備えて、前記トレー板にケーブルクランプとテンションメンバクランプとが支持されるとともに、前記トレー板に光ファイバ心線の余長部をループ状に保持する余長ループ保持部と、接続すべき相互の光ファイバ心線の先端のコネクタフェルール部を調心しながら接続するフェルール調心ガイドとが設けられている光ファイバ余長収納トレーと、
前記開口部側の前記トレー板に直交する向きで配置されたパネルと、
を具備し、
前記開口部は前記ケーブルを導入する方向に沿った前記トレー板のほぼ中央に対応して設けられ、
前記ケーブルクランプと前記テンションメンバクランプとは、前記開口部を挟んだ両側で前記トレー板に支持されていて、それぞれの取付け位置を交換できるように着脱自在になっており、
前記余長ループ保持部は、前記ケーブルクランプと前記テンションメンバクランプと前記フェルール調心ガイドとが設けられている前記トレー板の面とは反対側の面に設けられ、
前記パネルには前記光ファイバ心線の先端が接続されるコネクタが設けられていることを特徴とするケーブル接続ユニット。
【発明の詳細な説明】
【０００１】
【発明の属する技術分野】
本発明は、例えばテレビカメラ用光システム等で用いて好適な光ファイバ余長収納トレー及びこれを用いたケーブル接続ユニットに関するものである。
【０００２】
【従来の技術】
従来の競技場等のテレビ中継用光システムは、図７に示すように、予め中継車１の駐車場２に中継車コネクタ盤３を設置し、競技場４の建屋内５を経た観客席６に複数の競技場内コネクタ盤７を設置し、中継車コネクタ盤３の各コネクタ８と競技場内コネクタ盤７のコネクタ９とを光・電力の複合ケーブル１０で接続している。この場合、中継車コネクタ盤３の各コネクタ８と各複合ケーブル１０とは、各コネクタ８に接続された光・電力の複合ケーブル１１と複合ケーブル１０とが光接続ユニット１２を介して接続されている。また、各競技場内コネクタ盤７のコネクタ９と各複合ケーブル１０とは、コネクタ９に接続された光・電力の接続線１３と複合ケーブル１０とが光接続ユニット１４を介して接続されている。
【０００３】
かかる状態で、中継車１と中継車コネクタ盤３のコネクタ８とは光・電力の複合ケーブル１５とその先端に設けたコネクタ１６で接続し、観客席６側ではテレビカメラ１７と競技場内コネクタ盤７のコネクタ９とを該テレビカメラ１７の光・電力の複合ケーブル１８とその先端に設けたコネクタ１９で接続して、テレビ中継を行うようになっている。
【０００４】
一方、従来の放送スタジオのテレビカメラ用光システムは、図８に示すように、予め副調整室２０に副調整室選択バッチ盤２１を設置し、建屋内２２のスタジオ２３には複数のスタジオ内コネクタ盤２４を設置し、副調整室選択バッチ盤２１の各コネクタ２５とスタジオ２３のコネクタ２６とを光・電力の複合ケーブル２７で接続している。この場合、副調整室選択バッチ盤２１の各コネクタ２５と各複合ケーブル２７とは、各コネクタ２５に接続された光・電力の複合ケーブル２８と複合ケーブル２７とが光接続ユニット２９を介して接続されている。また、スタジオ２３の各コネクタ２６と各複合ケーブル２７とは、コネクタ２６に接続された光・電力の接続線３０と複合ケーブル２７とが光接続ユニット３１を介して接続されている。
【０００５】
かかる状態で、副調整室２０の各ベースステーション３２と副調整室選択バッチ盤２１の各コネクタ２５とを各ベースステーション３２の光・電力の複合ケーブル３３とその先端のコネクタ３４で接続し、スタジオ２３のテレビカメラ１７とスタジオ内コネクタ盤２４のコネクタ２６とを該テレビカメラ１７の光・電力の複合ケーブル１８とその先端に設けたコネクタ１９で接続して、テレビ中継を行うようになっている。
【０００６】
これらの場合、競技場内コネクタ盤７やスタジオ内コネクタ盤２４では、複合ケーブル１０と接続線１３中の各光ファイバ心線１３ａの接続や、複合ケーブル２７と接続線３０中の各光ファイバ心線３０ａの接続部とその余長部を保持するために、従来は図９に示すような光ファイバ余長収納トレー３５を用いた光接続ユニット１４，３１で行っていた。
【０００７】
この光接続ユニット１４，３１では、光ファイバ余長収納トレー３５のほぼ四角形状をなすトレー板３６上の四隅の何れかの位置に対応して光接続ユニット１４，３１に複合ケーブル１０，２７を保持するケーブルクランプ３８と、該複合ケーブル１０，２７のテンションメンバ３９を保持するテンションメンバクランプ４０とが設けられ、複合ケーブル１０，２７から引き出された光ファイバ心線４１には先端にコネクタフェルール部４２が予め加工された光ファイバ心線４３が融着接続部４４で接続され、光ファイバ心線４１，４３はトレー板３６上に固設された余長ループ保持部４５に許容曲げ半径以上の許容曲げ半径で巻付けられて保持され、コネクタフェルール部４２はフェルール調心ガイド４６のガイド孔にその一端側から差し込まれ、このフェルール調心ガイド４６のガイド孔の他端側には両端にコネクタフェルール部４７，４８が予め加工された光ファイバ心線１３，３０ａのコネクタフェルール部４７が差し込まれて、光ファイバ心線４３と光ファイバ心線１３，３０ａが接続された構造になっていた。
【０００８】
【発明が解決しようとする課題】
しかしながら、このような光接続ユニット１４，３１を備えた競技場内コネクタ盤７やスタジオ内コネクタ盤２４では、ケーブルクランプ３８とテンションメンバクランプ４０とがトレー板３６の何れかの隅部に対応して光接続ユニット１４，３１に設けられていて、ケーブルクランプ３８にクランプされた複合ケーブル１０，２７が許容曲げ半径より小さくならないようにして該トレー板３６の外に突出され、且つトレー板３６の周囲にはケーブルクランプ３８、テンションメンバクランプ４０、フェルール調心ガイド４６等を配置していたので、該トレー板３６の周囲に形成される占有スペースが大きくなる問題点があった。また、この光ファイバ余長収納トレー３５を収納する競技場内コネクタ盤７やスタジオ内コネクタ盤２４も大型化する問題点があった。
【０００９】
本発明の目的は、占有面積を縮小できる光ファイバ余長収納トレーを提供することにある。
【００１０】
本発明の他の目的は、光ファイバ余長収納トレーを内蔵しても小型化を図れるケーブル接続ユニットを提供することにある。
【００１１】
【課題を解決するための手段】
本発明に係る光ファイバ余長収納トレーは、トレー板上に、光ファイバ心線を収容したケーブルを保持するケーブルクランプと、該ケーブルのテンションメンバを保持するテンションメンバクランプと、該ケーブルにつながる光ファイバ心線の余長部をループ状に保持する余長ループ保持部と、光ファイバ心線とこれに接続される光ファイバ心線の相互の先端のコネクタフェルール部を調心しながら接続するフェルール調心ガイドと、前記光ファイバ心線が出入りする開口部とが設けられている。また前記開口部は前記ケーブルを導入する方向に沿った前記トレー板のほぼ中央に対応して設けられ、ケーブルクランプとテンションメンバクランプとは、前記開口部を挟んだ両側でトレー板に支持されていて、それぞれの位置を交換できるように着脱自在になっている。
【００１２】
このような光ファイバ余長収納トレーによれば、光ファイバ心線を収容したケーブルはトレー板の開口部側から該トレー板上に導入することができる。そのため、本発明によれば、従来、光ファイバ心線を収容したケーブルをその許容曲げ半径より小さくならないようにしてトレー板の外に突出されていた部分を、トレー板がなすスペース内に入れることができ、これにより、光ファイバ余長収納トレー及びケーブルクランプ、テンションメンバクランプ、フェルール調心ガイドが占有する面積を縮小することができる。
【００１３】
この場合、ケーブルクランプとテンションメンバクランプとは、開口部を挟んだ両側でトレー板に支持されているので、開口部からトレー板に導くケーブルとそのテンションメンバとを該開口部の近くで確実に保持することができる。
【００１４】
また、ケーブルクランプとテンションメンバクランプとがその取付け位置の交換ができるように着脱自在に支持されているので、開口部に対してその両側のいずれからケーブルが導入されても、これに対応させることができる。
【００１５】
また、開口部はケーブルを導入する方向に沿ったトレー板のほぼ中央に対応して設けられているので、ケーブルを導入する方向に沿ったトレー板の方向にみて開口部の両側に同じ長さを確保でき、開口部に対してその両側のいずれからケーブルが導入されても、これに対応させることができる。
【００１６】
さらに、余長ループ保持部が、ケーブルクランプとテンションメンバクランプとフェルール調心ガイドとが設けられているトレー板の面とは反対側の面に設けられているので、トレー板の両面に部品を取り付けることができて、該トレー板の小型化を図ることができる。また、トレー板の両面に部品が取り付けられていても、該トレー板に開口部が設けられていて光ファイバ心線が出入りするため、何等支障がない。
【００１７】
次に、本発明に係るケーブル接続ユニットは、光ファイバ心線を収容したケーブルを導入して、該ケーブルに収容された光ファイバ心線に他の光ファイバ心線を接続するために用いるもので、光ファイバ心線が出入りする開口部が設けられたトレー板を備えて前記トレー板にケーブルクランプとテンションメンバクランプとが支持されるとともに、前記トレー板に光ファイバ心線の余長部をループ状に保持する余長ループ保持部と接続すべき相互の光ファイバ心線の先端のコネクタフェルール部を調心しながら接続するフェルール調心ガイドとが設けられている光ファイバ余長収納トレーと、前記開口部側の前記トレー板に直交する向きで配置されたパネルとを具備している。そして前記開口部は、前記ケーブルを導入する方向に沿ったトレー板のほぼ中央に対応して設けられ、ケーブルクランプとテンションメンバクランプとは、前記開口部を挟んだ両側でトレー板に支持されていて、それぞれの取付け位置を交換できるように着脱自在になっている。また余長ループ保持部は、ケーブルクランプとテンションメンバクランプとフェルール調心ガイドとが設けられている前記トレー板の面とは反対側の面に設けられ、前記パネルには光ファイバ心線の先端が接続されるコネクタが設けられている。
【００１８】
このような構造によれば、従来、光ファイバ心線を収容したケーブルをその許容曲げ半径より小さくならないようにしてトレー板の外に突出させていた部分が、本発明によればトレー板がなすスペース内に入り込み、このため光ファイバ余長収納トレー及びケーブルクランプ、テンションメンバクランプ、フェルール調心ガイドが占有する面積を縮小でき、それ故この光ファイバ余長収納トレーを収納するケーブル接続ユニットの小型化を図ることができる。
【００１９】
【発明の実施の形態】
図１乃至図３は本発明に係る光ファイバ余長収納トレーの実施の形態の一例を示したもので、図１は本例の光ファイバ余長収納トレーの平面図、図２は本例の光ファイバ余長収納トレーの背面図、図３は本例の光ファイバ余長収納トレーの側面図である。
【００２０】
本例の光ファイバ余長収納トレー３５は、ほぼ四角形状をなすトレー板３６の一方の面上に、前述した複合ケーブル１０，２７を保持するケーブルクランプ３８と、複合ケーブル１０，２７のテンションメンバ３９を保持するテンションメンバクランプ４０と、光ファイバ心線４３とこれに接続される光ファイバ心線１３ａ，３０ａの相互の先端のコネクタフェルール部４２，４７を調心しながら接続するフェルール調心ガイド４６とが設けられ、トレー板３６の反対側の面上には複合ケーブル１０，２７から引き出された光ファイバ心線４１の余長部とこの光ファイバ心線４１につながる光ファイバ心線４３の余長部と光ファイバ心線１３ａ，３０ａの余長部をループ状に保持する半円弧状の１対の余長ループ保持部４５がその直線状の周面間に間隔を空けた状態で設けられている。これら余長ループ保持部４５が配置された側は、着脱可能なカバー５０で覆われている。また、ケーブルクランプ３８とテンションメンバクランプ４０とは、複合ケーブル１０，２７が導入される側に応じて、その取付け位置が交換できるようにネジ５１でトレー板３６に取付けられている。
【００２１】
特にこのトレー板３６には、ケーブルクランプ３８とテンションメンバクランプ４０とが設けられる該トレー板３６の一つの辺側に四角形の開口部５２が設けられている。ケーブルクランプ３８とテンションメンバクランプ４０とは、開口部５２を挟んだ両側でトレー板３６に支持されている。
【００２２】
なお、余長ループ保持部４５に光ファイバ心線４１，４３の余長部と光ファイバ心線１３ａ，３０ａの余長部を巻付ける際には、トレー板３６を逆向きにし、カバー５０を外して行う。
【００２３】
このようにトレー板３６に開口部５２が設けられていると、前述した複合ケーブル１０，２７はトレー板３６の開口部５２から該トレー板３６上に導入することができる。このため、従来、複合ケーブル１０，２７をその許容曲げ半径より小さくならないようにしてトレー板３６の外に突出させていた部分が、本発明によればトレー板３６がなすスペース内に入り込み、このため光ファイバ余長収納トレー３５及びケーブルクランプ３８、テンションメンバクランプ４０、フェルール調心ガイド４６が占有する面積を縮小することができる。
【００２４】
特に、ケーブルクランプ３８とテンションメンバクランプ４０とが開口部５２を挟んだ両側でトレー板３６に支持されていると、開口部５２からトレー板３６に導く複合ケーブル１０，２７とそのテンションメンバ３９とを該開口部５２の近くで確実に保持することができる。
【００２５】
また、ケーブルクランプ３８とテンションメンバクランプ４０とがその取付け位置の交換ができるように着脱自在にトレー板３６に支持されていると、開口部５２に対してその両側のいずれから複合ケーブル１０，２７が導入されても、これに対応させることができる。
【００２６】
また、開口部５２が複合ケーブル１０，２７を導入する方向に沿ったトレー板３６のほぼ中央に対応して設けられていると、複合ケーブル１０，２７を導入する方向に沿ったトレー板３６の方向にみて開口部５２の両側に同じ長さを確保でき、開口部５２に対してその両側のいずれから複合ケーブル１０，２７が導入されても、これに対応させることができる。
【００２７】
さらに、余長ループ保持部４５が、ケーブルクランプ３８とテンションメンバクランプ４０とフェルール調心ガイド４６とが設けられているトレー板３６の面とは反対側の面に設けられていると、トレー板３６の両面に部品を取り付けることができて、該トレー板３６の小型化を図ることができる。また、トレー板３６の両面に部品が取り付けられていても、該トレー板３６に開口部５２が設けられていて光ファイバ心線が出入りするため、何等支障がない。
【００２８】
図４乃至図６は本発明に係るケーブル接続ユニットの実施の形態の一例を示したもので、図４は本例のケーブル接続ユニットの正面図、図５は本例のケーブル接続ユニットの平面図、図６は本例のケーブル接続ユニットの側面図である。
【００２９】
本例のケーブル接続ユニットでは、図１乃至図３に示した構造の光ファイバ余長収納トレー３５が用いられている。
【００３０】
この光ファイバ余長収納トレー３５の開口部５２側のトレー板３６の一つの辺には、直交する向きでパネル５３が固定されている。該パネル５３には、前述した光ファイバ心線１３ａ，３０ａの先端のコネクタフェルール４８が接続されるコネクタ５４が設けられている。このコネクタ５４に隣接してもう一つのコネクタ５５が設けられている。パネル５３の裏側には、光ファイバ余長収納トレー３５を収納するケース５６が取り外し可能に固定されている。
【００３１】
このような構造によれば、従来、複合ケーブル１０，２７をその許容曲げ半径より小さくならないようにしてトレー板３６の外に突出させていた部分が、本発明によればトレー板３６がなすスペース内に入り込み、このため光ファイバ余長収納トレー３５及びケーブルクランプ３８、テンションメンバクランプ４０、フェルール調心ガイド４６が占有する面積を縮小でき、それ故この光ファイバ余長収納トレー３５を収納するケーブル接続ユニットの小型化を図ることができる。
【００３２】
なお、上記例では、ケーブルクランプ３８とテンションメンバクランプ４０とを、開口部５２を挟んだ両側でトレー板３６に支持させたが、これらケーブルクランプ３８とテンションメンバクランプ４０とは開口部５２を挟んだ両側にそれぞれ設けることもできる。
【００３３】
また、余長ループ保持部４５はケーブルクランプ３８やテンションメンバクランプ４０を設けているトレー板３６の同じ面に設けることもできる。
【００３４】
さらに、トレー板３６の形状は、上記形状に限定されるものではなく、いずれの形状であってもよい。
【００３５】
【発明の効果】
本発明に係る光ファイバ余長収納トレーでは、トレー板に光ファイバ心線が出入りする開口部を設けているので、光ファイバ心線を収容したケーブルはトレー板の開口部側から該トレー板上に導入することができる。そのため、本発明によれば、従来、光ファイバ心線を収容したケーブルをその許容曲げ半径より小さくならないようにしてトレー板の外に突出させていた部分をトレー板がなすスペース内に入れることができ、光ファイバ余長収納トレー及びケーブルクランプ、テンションメンバクランプ、フェルール調心ガイドが占有する面積を縮小することができる。
【００３６】
また、ケーブルクランプとテンションメンバクランプとが開口部を挟んだ両側でトレー板に支持されているので、開口部に対応してトレー板に導く光ファイバ心線を収容したケーブルとそのテンションメンバとを該開口部の近くで確実に保持することができる。
【００３７】
また、ケーブルクランプとテンションメンバクランプとは、その取付け位置の交換ができるように着脱自在に支持されているので、開口部に対してその両側のいずれからケーブルが導入されても、これに対応させることができる。
【００３８】
また、開口部はケーブルを導入する方向に沿ったトレー板の方向のほぼ中央に対応して設けられているので、ケーブルを導入する方向に沿ったトレー板の方向にみて開口部の両側に同じ長さを確保でき、開口部に対してその両側のいずれからケーブルが導入されても、これに対応させることができる。
【００３９】
さらに、余長ループ保持部は、ケーブルクランプとテンションメンバクランプとフェルール調心ガイドとが設けられているトレー板の面とは反対側の面に設けられているので、トレー板の両面に部品を取り付けることができて、該トレー板の小型化を図ることができる。また、トレー板の両面に部品が取り付けられていても、該トレー板に開口部が設けられていて光ファイバ心線が出入りするため、何等支障がない。
【００４０】
次に、本発明に係るケーブル接続ユニットは、光ファイバ心線が出入りする開口部が設けられたトレー板を備えて、該トレー板にケーブルクランプとテンションメンバクランプとが支持されるとともに、該トレー板に光ファイバ心線の余長部をループ状に保持する余長ループ保持部と、接続すべき相互の光ファイバ心線の先端のコネクタフェルール部を調心しながら接続するフェルール調心ガイドとが設けられている光ファイバ余長収納トレーと、前記開口部側のトレー板に直交する向きで配置されたパネルとを具備していて、前記開口部がケーブルを導入する方向に沿ったトレー板のほぼ中央に対応して設けられるとともに、ケーブルクランプとテンションメンバクランプとが、開口部を挟んだ両側でトレー板に支持されて、それぞれの取付け位置を交換できるように着脱自在になっており、また、余長ループ保持部は、ケーブルクランプとテンションメンバクランプとフェルール調心ガイドとが設けられているトレー板の面とは反対側の面に設けられ、パネルには光ファイバ心線の先端が接続されるコネクタが設けられた構成を有しているので、従来、光ファイバ心線を収容したケーブルをその許容曲げ半径より小さくならないようにしてトレー板の外に突出されていた部分をトレー板がなすスペース内に入れることができ、光ファイバ余長収納トレー及びケーブルクランプ、テンションメンバクランプ、フェルール調心ガイドが占有する面積を縮小して、光ファイバ余長収納トレーを収納するケーブル接続ユニットの小型化を図ることができる。
【図面の簡単な説明】
【図１】  本発明に係る光ファイバ余長収納トレーの実施の形態の一例を示した平面図である。
【図２】  本例の光ファイバ余長収納トレーの背面図である。
【図３】  本例の光ファイバ余長収納トレーの側面図である。
【図４】  本発明に係るケーブル接続ユニットの実施の形態の一例を示した正面図である。
【図５】  本例のケーブル接続ユニットの平面図である。
【図６】  本例のケーブル接続ユニットの側面図である。
【図７】  従来の競技場等のテレビ中継用光システムの概略構成を示す縦断面図である。
【図８】  従来の放送スタジオのテレビカメラ用光システムの概略構成を示す縦断面図である。
【図９】  従来の光ファイバ余長収納トレーを有する光接続ユニットの平面図である。
【符号の説明】
１  中継車
２  駐車場
３  中継車コネクタ盤
４  競技場
５  建屋内
６  観客席
７  競技場内コネクタ盤
８，９  コネクタ
１０，１１  複合ケーブル
１２  光接続ユニット
１３  接続線
１４  光接続ユニット
１５  複合ケーブル
１６  コネクタ
１７  テレビカメラ
１８  複合ケーブル
１９  コネクタ
２０  副調整室
２１  副調整室選択バッチ盤
２２  建屋内
２３  スタジオ
２４  スタジオ内コネクタ盤
２５，２６  コネクタ
２７，２８  複合ケーブル
２９  光接続ユニット
３０  接続線
３１  光接続ユニット
３２  ベースステーション
３３  複合ケーブル
３４  コネクタ
３５  光ファイバ余長収納トレー
３６  トレー板
３８  ケーブルクランプ
３９  テンションメンバ
４０  テンションメンバクランプ
４１  光ファイバ心線
４２  コネクタフェルール部
４３  光ファイバ心線
４４  融着接続部
４５  余長ループ保持部
４６  フェルール調心ガイド
４７，４８  コネクタフェルール部
５０  カバー
５１  ネジ
５２  開口部
５３  パネル
５４，５５  コネクタ
５６  ケース
【図１】
0003910799.tif 000002
【図２】
0003910799.tif 000003
【図３】
0003910799.tif 000004
【図４】
0003910799.tif 000005
【図５】
0003910799.tif 000006
【図６】
0003910799.tif 000007
【図７】
0003910799.tif 000008
【図８】
0003910799.tif 000009
【図９】
0003910799.tif 000010